(57)【要約】【課題】  ＤＶＤやＨＤＤなどの記録媒体に記録された映像信号をＬＣＤやＰＤＰなどの映像表示パネルに表示するときに発生するブロックノイズ量を低減化するために、当該映像信号の録画レートに対応して画像表示率を変更することによって、映像表示パネルに表示される画像の画質劣化を目立たなくすることのできる映像信号再生装置及び再生方法を提供すること。【解決手段】  記録媒体に記録された映像信号の録画レートを検出する録画レート検出部６１と、映像信号を映像表示パネルに表示するときのブロックノイズ量を低減化するように、録画レート検出部６１が検出した録画レートに対応して、画像表示率を変更する画像表示率変更部６２とを備えた映像信号再生装置を提供することにより、低ビットレートで録画されたコンテンツを縮小画面に表示して、画像の画質劣化を目立たなくさせる。【選択図】  図５
2008028443.tif 000002
【特許請求の範囲】
【請求項１】
特定の解像度の映像表示パネルに映像信号を再生する映像信号再生装置において、
記録媒体に記録された映像信号の録画レートを検出する録画レート検出手段と、
当該映像信号を前記映像表示パネルに表示するときのブロックノイズ量を低減化するように、前記録画レート検出手段が検出した録画レートに対応して、画像表示率を変更する画像表示率変更手段と、を備えることを特徴とする映像信号再生装置。
【請求項２】
映像信号再生時のブロックノイズ量が２５乃至３５カウント、望ましくは３０カウントとなるように、前記画像表示率変更手段が画像表示率を変更するようにした請求項１に記載の映像信号再生装置。
【請求項３】
特定の解像度の映像表示パネルに映像信号を再生する映像信号再生方法において、
記録媒体に記録された映像信号の録画レートを検出する録画レート検出ステップと、
当該映像信号を前記映像表示パネルに表示するときのブロックノイズ量を低減化するように、前記録画レート検出ステップで検出された録画レートに対応して、画像表示率を変更する画像表示率変更ステップと、を含むことを特徴とする映像信号再生方法。
【請求項４】
映像信号再生時のブロックノイズ量が２５乃至３５カウント、望ましくは３０カウントとなるように、画像表示率を変更するようにした請求項３に記載の映像信号再生方法。
【発明の詳細な説明】
【技術分野】
【０００１】
本発明は、映像表示パネルに映像信号を再生する映像信号再生装置及び再生方法に関し、特に記録媒体に記録された映像信号を映像表示パネルに表示するときのブロックノイズ量を低減化するように、当該映像信号の録画レートに対応して、画像表示率を変更するようにした映像信号再生装置及び再生方法に関する。
【背景技術】
【０００２】
近年、映像表示パネルとしてＬＣＤ（液晶ディスプレイ）やＰＤＰ（プラズマディスプレイパネル）が一般化してきたことに伴ない、ＤＶＤやデジタル放送などＭＰＥＧ方式による映像信号をＬＣＤやＰＤＰなどの映像表示パネルに表示させるようにした映像信号再生装置が広く普及している。ＭＰＥＧ方式による映像信号の圧縮は不可逆圧縮であることから、映像表示パネル上での画質の劣化が不可避となっていた。なかでも、画素ブロック単位の圧縮に伴ない発生するブロックノイズが映像表示パネル上の画像の一部領域にモザイク状の画質劣化をもたらすことが、大きな課題であった。さらに、ＬＣＤやＰＤＰなどの映像表示パネルのサイズが大型化してきたため、ブロックノイズによる画質劣化が一層目立つようになってきた。
【０００３】
また、ＤＶＤやＨＤＤ等の記録媒体に記録したコンテンツを映像表示パネルに再生する場合、当該コンテンツの記録時に選択された録画レート（ＸＰ、ＳＰ、ＬＰ、ＳＬＰのうちどれか1つ）に応じて、再生時の画質の良否が分かれることは周知の事実である。コンテンツを記録媒体に録画するときは、複数の録画レート（ＸＰ、ＳＰ、ＬＰ、ＳＬＰ）の中からどれか一つの録画レートをユーザが選択して録画している。図１に示すとおり、録画レートごとに記憶情報量が異なっている。高画質を要求されるコンテンツの場合にはＸＰで録画し、高画質の必要はなくできるだけ長時間の録画をしたい場合にはＳＬＰで録画するのが、一般的である。
【０００４】
ＢＳデジタル放送や地上デジタル放送における映像信号のフォーマット規格を図２に示す。また、映像表示パネルとして使用されるＬＣＤやＰＤＰの主要な規格は図３に示すとおりで、その製作段階で画面の解像度（画素数）が一定値に定まっている。多くの場合、ＬＣＤやＰＤＰにはスケーラー（画素変換回路）が設けられており、入力された映像信号の解像度を映像表示パネルの解像度に変換しているが、予め想定した変換以外の調整はできないのが通常である。従って、記憶情報量の少ないＬＰやＳＬＰの録画レートで録画した低ビットレートのコンテンツをＬＣＤやＰＤＰなどの映像表示パネルで再生すると、図１に示すようにフル表示でのブロックノイズ量がＸＰやＳＰに比べて３〜４倍のレベルに達してしまうので、図４の画面のようにブロックノイズの目立つ極めて劣化した画質しか得られない。
【０００５】
以下、図１のフル表示でのブロックノイズ量について補足する。ブロックノイズ量とは、画像表示部分を縦横にそれぞれ１０等分（１０×１０）し、そのマス毎にブロックノイズが発生する度数をカウントしたものである。記憶情報量６ＭｂｐｓのＳＰで録画したコンテンツを１００％表示した画質を標準として、そのときのブロックノイズ量を３０カウントとすると、ＸＰ、ＬＰ、ＳＬＰのブロックノイズ量は、それぞれ２０カウント、６０カウント、９０カウントとなる。ＳＰとＬＰを比較すると、ＳＰの情報量は６Ｍｂｐｓに対し、ＬＰの情報量は半分の３Ｍｂｐｓなので、ブロックノイズ量はそれに反比例して、ＳＰが３０カウントに対して、ＬＰはその2倍の６０カウントとなる。またＳＰとＳＬＰを比較すると、情報量がＳＰは６Ｍｂｐｓに対し、ＳＬＰはその三分の一の２Ｍｂｐｓなので、ブロックノイズ量はＳＰの３０カウントに対してＳＬＰはその3倍の９０カウントとなる。これが低ビットレートのコンテンツをＬＣＤやＰＤＰなどの映像表示パネルで再生したときの画質劣化の原因である。
【０００６】
この画質劣化の問題に対応するために多くの手法が考案されているが、例えば特許文献１では、ブロック境界線の前後の画素ブロックと一フレーム前の前後の画素ブロックとの相関関係によってフィルタリングの処理を変化させることで、ブロックノイズを軽減する手法が開示されている。また特許文献２では、動画像をサイズ縮小して低ビットレートで符号化するとき、符号化対象画像の画質に影響しない高周波成分を低減し、復号した動画像の画質劣化を抑制できるようにした画像符号化装置が開示されている。これらの従来技術によって、デジタル放送受信時の画質の劣化を防止することができるようになり、また、記憶情報量の多いＸＰやＳＰの録画レートで録画したコンテンツをＬＣＤやＰＤＰなどの映像表示パネルで再生する場合も、再生画像の画質の劣化を防止することができるようになった。
【０００７】
【特許文献１】特開２００６−６０３３５号公報
【特許文献２】特開２００６−１４８１９１号公報
【０００８】
しかしながら、記憶情報量の少ないＬＰやＳＬＰの録画レートで録画した低ビットレートのコンテンツをＬＣＤやＰＤＰなどの映像表示パネルで再生する場合に発生するブロックノイズについては、未解決のまま放置されている。
【発明の開示】
【発明が解決しようとする課題】
【０００９】
そこで、本発明は、ＤＶＤやＨＤＤなどの記録媒体に記録された映像信号をＬＣＤやＰＤＰなどの映像表示パネルに表示するときに発生するブロックノイズ量を低減化するために、当該映像信号の録画レートに対応して画像表示率を変更することによって、映像表示パネルに表示される画像の画質劣化を目立たなくすることのできる映像信号再生装置及び再生方法を提供することを目的とする。
【課題を解決するための手段】
【００１０】
本発明の映像信号再生装置は、記録媒体に記録された映像信号の録画レートを検出する録画レート検出手段と、映像信号を映像表示パネルに表示するときのブロックノイズ量を低減化するように、録画レート検出手段が検出した録画レートに対応して、画像表示率を変更する画像表示率変更手段とを備えることを特徴とする。さらに、上記の映像信号再生装置において、映像信号再生時のブロックノイズ量が２５乃至３５カウント、望ましくは３０カウントとなるように、画像表示率変更手段が画像表示率を変更するようにしたことを特徴とする。
【００１１】
本発明の映像信号再生方法は、記録媒体に記録された映像信号の録画レートを検出する録画レート検出ステップと、映像信号を映像表示パネルに表示するときのブロックノイズ量を低減化するように、録画レート検出ステップで検出された録画レートに対応して、画像表示率を変更する画像表示率変更ステップとを含むことを特徴とする。さらに上記の映像信号再生方法において、映像信号再生時のブロックノイズ量が２５乃至３５カウント、望ましくは３０カウントとなるように、画像表示率を変更するようにしたことを特徴とする。
【発明の効果】
【００１２】
本発明により、記憶情報量の少ないＬＰやＳＬＰの録画レートで録画した低ビットレートのコンテンツをＬＣＤやＰＤＰなどの映像表示パネルで再生する場合に、映像表示パネルに表示される画像の画質劣化を目立たなくすることができる。
【発明を実施するための最良の形態】
【００１３】
本発明による具体的な実施形態を、以下、図を参照して説明する。図５は、本発明を適用した映像信号再生装置の構成例を示すブロック図である。この構成例においては、アンテナ１０、復調部２０、ＭＰＥＧ３０、ＨＤＤ４０、ＤＶＤレコーダ５０、マイコン部６０、表示部７０が設けられている。さらに、マイコン部６０は録画レート検出部６１と画像表示変更部６２を有し、表示部７０はパネル７１、スケーラー７２、制御部７３を有している。また表示部７０は外部入力８０が可能な構成になっている。
【００１４】
上記構成例の映像信号再生装置において、以下、テレビ放送を受信して一つのコンテンツを録画するまでの動作を、図６のフローチャートに従って説明する。ステップＳ１０において、アンテナ１０により受信された映像信号の中からユーザ所望の信号を復調部２０において復調し、デジタルデータとしてＭＰＥＧ３０に出力する。ステップＳ１１でユーザが録画を指示する。ステップＳ１２でユーザは録画メニュー画面（図示せず）において図１に示す複数の録画レート（ＸＰ、ＳＰ、ＬＰ、ＳＬＰ）の中からどれか一つを選択する。ステップ１３においてＭＰＥＧ３０により符号化されたデジタルデータがＨＤＤ４０もしくはＤＶＤレコーダ５０に記録されることにより、録画の動作が完了する。
【００１５】
次に、録画されたコンテンツを、当該映像信号再生装置において再生するときの動作を、図７のフローチャートに従って説明する。再生動作に先立ち、ユーザは、図８に示すカスタマイズメニュー画面において、後述する画面縮小機能の適用を既に設定してあるものとして、以下、説明を行うが、このカスタマイズメニュー画面における画面縮小機能の適用可否の選択については、録画動作の都度、これをユーザに選択させるようにしてもよい。上述の録画動作において、ユーザは録画レートをＳＬＰに選択し、記録媒体としてＨＤＤ４０を指定したものとする。
【００１６】
図７のステップ２１で、ユーザは、録画レートＳＬＰでＨＤＤ４０に記録されているコンテンツの再生を指示する。ステップＳ２２で、ユーザは画面縮小機能を選択するかどうかが問われる。このステップＳ２２で「いいえ」を選択すると、ステップＳ２６の再生動作が開始されるので、ＨＤＤ４０に記録された録画レートＳＬＰの低ビットレートのデータがパネル７１に再生される。このときの再生画像は、図４に示すブロックノイズの目立つ画像である。
【００１７】
上記の再生画像のブロックノイズを目立たなくさせるために、表示画面のサイズを縮小することについて説明する。図９には、ＸＰ、ＳＰ、ＬＰ、ＳＬＰそれぞれの録画レートに対応して、再生時にブロックノイズが目立たなくなるような適正な画面表示率が示されている。ＸＰで録画したコンテンツを再生するときは、そもそもフル表示のブロックノイズ量が２０カウントなので、標準のＳＰの３０カウントより小さいため、画面表示率は１００％のままでまったく問題がない。ところがＬＰの場合は、フル表示のブロックノイズ量が６０カウントなので、画面表示率を５０％に縮小してブロックノイズの発生量を３０カウントに半減させることにより、ＳＰと同程度の画質を確保することができる。同様に、ＳＬＰの場合は、フル表示のブロックノイズ量が９０カウントなので、画面表示率を３３％に縮小してブロックノイズの発生量を三分の一の３０カウントに減少させることにより、ＳＰと同程度の画質を確保することができる。
【００１８】
ここで、録画されたコンテンツを映像信号再生装置で再生するときの動作を説明する図７のフローチャートに戻る。ステップＳ２２で、今度は「はい」を選択すると、ステップＳ２３で当該再生装置のマイコン部６０の録画レート検出部６１が、再生するデータの録画レートはＳＬＰであることを検出し、その検出された録画レートに対応する画面表示率がステップＳ２４で読み出され、ステップＳ２５で図１０に示す画面表示率設定画面が表示される。録画レートＳＬＰに対応する画面表示率は３３％と設定されているので、ステップＳ２６の再生動作が開始されると、図１１に示すとおりフル画面の３３％に縮小表示された画像がパネル７１に再生される。この画像は、図９に示すように標準のＳＰと同程度のブロックノイズが目立たない画像となっている。
【００１９】
これまでの説明では、ＳＬＰを録画時の録画レートとして選択し、記録媒体をＨＤＤ４０としていたが、録画レートはＬＰでも同様の効果をあげることができ、記録媒体をＤＶＤレコーダ５０としても同様の効果をあげることができる。また、図７のフローチャートのステップＳ２２で、ユーザが画面縮小機能を選択するかどうかを問われる工程を説明したが、これをデフォルト設定することにより、ステップＳ２４とＳ２５を省略して、いきなり再生動作を開始するようにすることもできる。なお上述のとおり、最良の実施形態として、画面縮小後のブロックノイズ発生量を３０カウントとして説明したが、ノイズ発生量はこれに限定されることなく、視認性を考慮したうえで２５乃至３５カウントの範囲に納めればよいことを付言する。
【００２０】
以上、本発明の実施例について詳述したが、本発明は上述の実施例に限定されるものではなく、本発明の要旨の範囲内で種々の変形実施が可能である。
【図面の簡単な説明】
【００２１】
【図１】コンテンツを記録媒体に録画するときの録画レートに対応するブロックノイズ量を示す図である。
【図２】デジタル放送における映像信号のフォーマット規格を示す図である。
【図３】映像表示パネルとして使用されるＬＣＤやＰＤＰの主要規格を示す図である。
【図４】低ビットレートで録画されたコンテンツを従来技術で再生したときのブロックノイズを示す図である。
【図５】本発明を適用した映像信号再生装置の構成例を示すブロック図である。
【図６】図５の映像信号再生装置で受信したテレビ放送を録画する処理を説明するフローチャートである。
【図７】図５の映像信号再生装置で録画したコンテンツを再生する処理を説明するフローチャートである。
【図８】本発明による画面縮小機能の設定メニュー画面を示す図である。
【図９】本発明による録画レートに対応する画面縮小時のブロックノイズ量を示す図である。
【図１０】本発明による録画レートに対応する画面表示率を示す図である。
【図１１】低ビットレートで録画されたコンテンツを本発明により再生したときの画像を示す図である。
【符号の説明】
【００２２】
１０  アンテナ
２０  復調部
３０  ＭＰＥＧ
４０  ＨＤＤ
５０  ＤＶＤレコーダ
６０  マイコン部
６１  録画レート検出部
６２  画像表示変更部
７０  表示部
７１  パネル
７２  スケーラー
７３  制御部
８０  外部入力
【図１】
2008028443.tif 000003
【図２】
2008028443.tif 000004
【図３】
2008028443.tif 000005
【図４】
2008028443.tif 000006
【図５】
2008028443.tif 000007
【図６】
2008028443.tif 000008
【図７】
2008028443.tif 000009
【図８】
2008028443.tif 000010
【図９】
2008028443.tif 000011
【図１０】
2008028443.tif 000012
【図１１】
2008028443.tif 000013